(57)【要約】【課題】  果実や農作物あるいは航空機に被害を与える鳥を的確に脅して追っ払うことができ、さらに鳥たちに単なる脅しであると感知されることなく、自動的に鳥を脅して追払う装置を提供することである。【解決手段】  外周部１３に花火本体装着孔５と導火線装着孔７からなるの複数組を有する円盤状のリボルバー９を箱体２８内に有し、リボルバー９の下面１２に配設のモーター１５によりリボルバー９を回動し、導火線装着孔７の下部の導火線４にモーター１５によるリボルバー９の回動に同期して着火するヒーター１９を有し、箱体２８に開口部３３を有する上ふた３２を被せ、上ふた３２の開口部３３の周辺上部に立ち上がる発射口フード３４と方向を規制する補助板３５を対向配置し、箱体２８の下部にこの箱体２８の設置角度を自在に変更する支持傾斜脚３６を有する鳥追払い装置１。【選択図】      図１
0003106555.tif 000002
【実用新案登録請求の範囲】
【請求項１】
外周部１３に等間隔に花火本体装着孔５と導火線装着孔７からなる組の複数組を有する円盤状のリボルバー９をその表面１１を上方に向けて箱体２８内に設置し、１組の花火本体装着孔５と導火線装着孔７から隣の１組の花火本体装着孔５と導火線装着孔７に、リボルバー９の下面１２の中心下部にモーター１５によりリボルバー９を回動する駆動手段１４を配設し、さらに、導火線装着孔７の下部に垂らした導火線４の先端にリボルバー９の回動に同期して着火するヒーター１９を配設し、かつ、箱体２８に開口部３３を有する上ふた３２を被せ、該上ふた３２の開口部３３の周辺上部に立ち上がる発射口フード３４と方向を規制する補助板３５を対向配置し、箱体２８の下部に該箱体２８の設置角度を自在に変更する支持傾斜脚３６を設けたことを特徴とする農作物等の鳥類被害対策用の鳥追払い装置１。
【請求項２】
リボルバー９の外周部１３は、内側に花火本体装着孔５を、外側に導火線装着孔７を、それぞれ並列配置し、花火本体装着孔５はリボルバー９の下面１２から下方に延びるガイドパイプ６を有し、導火線装着孔７はリボルバー９の孔周囲をテーパー状に面取りされた肉厚の薄い孔側部８に形成され、ヒーター１９は耐熱セラミックシーズ管２０で被覆されていることを特徴とする請求項１に記載の農作物等の鳥類被害対策用の鳥追払い装置１。
【請求項３】
１組の花火本体装着孔５と導火線装着孔７はその間隙をロケット花火２自体の花火本体３と導火線４の間隙よりも広めで花火本体３と導火線４を花火本体装着孔５と導火線装着孔７に装着したとき導火線４の下端が外側に傾斜してヒーター１９に重なり接触する間隙であり、リボルバー９はその周辺から中心方向に１個のＶ字状の切欠き１０を有することを特徴とする請求項１または２に記載の農作物等の鳥類被害対策用の鳥追払い装置１。
【考案の詳細な説明】
【技術分野】
【０００１】
この考案は、果実や農作物を鳥類から受ける被害を解消するための農園や果樹園若しくは空港などでジェット機のジェットタービン中に鳥が吸い込まれるバードストライクの被害を解消するためにの鳥の追払い装置に関する。
【背景技術】
【０００２】
有害鳥類による果実や農作物の被害は日本全国に及びその損害額も大きく生産者に深刻な問題となっている。そこで、従来、このような有害鳥類を脅して追っ払うために、案山子を立てたり、目玉模様の風船や、カラスなどの死骸や模擬死骸を果樹園や畑や田んぼにぶら下げたりしている。また、光を反射しキラキラと光る防鳥テープを張ったり、吹き流しをしたり、テグスを張る等を行っている。しかし、このような静的な対策では、からすやその他の鳥などは短期間に慣れて安全を知り、このために十分に鳥類を追払うことはできなかった。
【０００３】
一方、防鳥網を作物に被せて鳥の侵入を阻止する方法がある。これは侵入を阻止するものであるので、確実な被害防止策である。しかし、広域の面積の作物に防鳥網を張ることは設置や撤収の手間がかかり、また、農作業の邪魔になるなど実用的でなく、小規模栽培に向いた技術である。
【０００４】
さらに、従来から、農園や空港で鳥を追払うために、爆音を発生させる装置が使用されている。例えば、カルシウムカーバイドと水からアセチレンガスを発生させ、そのガスの爆発音で鳥を追っ払うものがあり、最近ではプロパンガスによる爆発音を発生させるものがある。しかし、農地と住居が混在している日本では、最近では比較的に小音量のものが用いられている。また、このものでも鳥が慣れてくる問題はある。さらに、上記の爆発音の上にさらに旗や板を打ち上げ落とすものがあるが比較的高価である。さらに、鉄砲やピストルからシェルクラッカーを発射し、上空で炸裂するものがあり、特に空港や海外で使用されているが、銃などの場合は使用の規制があり、簡易に使用することができない問題がある。
【０００５】
一方、ロケット花火の１本の導火線を遅燃性としてその１本に複数のロケット花火を配して順次経時的に花火を打ち上げ、鳥を脅すものがある（例えば、特許文献１参照。）
。しかし、烏などの活動する日中のみ自動的に感知して発射可能とするものではなかった。
【０００６】
【特許文献１】特開２００１−４１６９３公開公報
【考案の開示】
【考案が解決しようとする課題】
【０００７】
この考案は、果実や農作物に被害を与える鳥や空港で飛行機にバードストライクを引き起こす鳥などを的確に脅して追払うことができ、さらに鳥たちに単なる脅しであると感知されることなく、日中のみ自動的に的確に鳥を脅して追払う装置を提供することである。
【課題を解決するための手段】
【０００８】
上記の課題を解決するための本考案の手段は、請求項１の考案では、外周部１３に等間隔に花火本体装着孔５と導火線装着孔７からなる組の複数組を有する円盤状のリボルバー９をその表面１１を上方に向けて箱体２８内に設置し、１組の花火本体装着孔５と導火線装着孔７から隣の１組の花火本体装着孔５と導火線装着孔７に、リボルバー９の下面１２の中心下部にモーター１５によりリボルバー９を回動する駆動手段１４を配設し、さらに、導火線装着孔７の下部に垂らした導火線４の先端にリボルバー９の回動に同期して着火するヒーター１９を配設し、かつ、箱体２８に開口部３３を有する上ふた３２を被せ、該上ふた３２の開口部３３の周辺上部に立ち上がる発射口フード３４と方向を規制する補助板３５を対向配置し、箱体２８の下部に該箱体２８の設置角度を自在に変更する支持傾斜脚３６を設けたことを特徴とする農作物等の鳥類被害対策用の鳥追払い装置１である。
【０００９】
請求項２の考案では、リボルバー９の外周部１３は、内側に花火本体装着孔５を、外側に導火線装着孔７を、それぞれ並列配置し、花火本体装着孔５はリボルバー９の下面１２から下方に延びるガイドパイプ６を有し、導火線装着孔７はリボルバー９の孔周囲をテーパー状に面取りされた肉厚の薄い孔側部８に形成され、ヒーター１９は耐熱セラミックシーズ管２０で被覆されていることを特徴とする請求項１の手段の農作物等の鳥類被害対策用の鳥追払い装置１である。
【００１０】
請求項３の考案では、１組の花火本体装着孔５と導火線装着孔７はその間隙をロケット花火２自体の花火本体３と導火線４の間隙よりも広めで花火本体３と導火線４を花火本体装着孔５と導火線装着孔７に装着したとき導火線４の下端が外側に傾斜してヒーター１９に重なり接触する間隙であり、リボルバー９はその周辺から中心方向に１個のＶ字状の切欠き１０を有することを特徴とする請求項１または２の手段の農園や果樹園における鳥追払い装置１である。
【００１１】
なお、上記の本願考案におけるロケット花火２とは、花火本体３が火薬を詰めた先端部の筒体とその筒体の下部に姿勢のバランスをとる竹ひごを有し、さらに花火本体３に着火するために上記筒体の下部側部から下方に伸びる細い紙紐状の導火線を有するもので、一般にロケット花火として市販されているものである。
【考案の効果】
【００１２】
本考案では、ロケット花火を日中に打ち上げることで、その打ち上げ音と閃光により鳥に驚きと恐怖感を与えることで、果実や農作物に被害を与える鳥や空港でバードストライクによる被害を引き起こす鳥を的確に脅して追っ払うことができ、しかも、打ち上げ方向にバラツキがあり予期しない方向に打ち上がるので、鳥が単なる脅しであると学習することがなく、さらに自動的に一定の間隔を空けて打ち上げることができて打ち上げに要する労力を省力化した農作物等の鳥類被害対策用の鳥追払い装置１である。
【考案を実施するための最良の形態】
【００１３】
本考案を実施するための最良の形態を図面を参照して説明する。なお、図３は本考案の鳥追払い装置１の斜視図である。図１は本考案の鳥追払い装置１である。図２は図１の鳥追払い装置１の上ふた３２を取り去り、一部切欠いて、リボルバー９その他を見せる図である。図３は図１の鳥追払い装置１の上ふた３２を示す図である。図４はリボルバー９の斜視図で、（ａ）は上面側を、（ｂ）は下面側を示す。図５は、本考案の鳥追払い装置１の上ふた３２を取り去って見た鳥追払い装置１内の平面図である。図６は本考案の鳥追払い装置１のリボルバー９にロケット花火２を装着した図で、（ａ）は導火線装着孔７の下面１２側の孔周囲をテーパー状に面取りし肉厚の薄い孔側部８に装着した図で、（ｂ）は孔周囲が面取りされてなく肉厚の厚い孔側部８に装着した図である。図７は本考案の鳥追払い装置１の箱体２８の内部のみを示す立面図である。図８は打ち出し角度４２を変えて示すロケット花火２の打ち上げ状況を示す図で、打ち上げ角度４２が（ａ）は４５°で、（ｂ）は６０°を示す図である。
【００１４】
本考案の農作物や空港における航空機の鳥類からの被害対策用の鳥追払い装置１は、図１に示すように、箱体２８からなり、箱体２８の側部に箱体２８を支持してその傾斜角度を変更する支持傾斜脚３６を有する。この支持傾斜脚３６の長さは一定の長さで打ち上げ角度４２を固定の、例えば図８に示すように、４５°あるいは６０°とするものである。しかし、支持傾斜脚３６の長さを可変式として、打ち上げ角度４２を可変式とすることもできる。このように支持傾斜脚３６の長さを変更きるものとすることで、後で説明するようにロケット花火２の打ち出し角度４２は自由に地形に合わせて変更することができる。箱体２８は上ふた３２を有し、上ふた３２にはロケット花火２を打ち上げる開口部３３および把手３９を有する。開口部３３の３方の周囲は雨風を防ぐために発射口フード３４を有する。発射口フード３４の大きさは、例えば幅１０ｃｍ、奥行き１５ｃｍ、高さ３０ｃｍとする。この発射口フード３４に対向して発射口フード３４側に上部を傾けて下方から設けた高さ１０ｃｍ程度の補助板３５を有する。この補助板３５はロケット花火２を打ち上げるとき、誤って方角が横から下方にできるだけずれないように規制するものである。また、発射口の開口部３３の奥行き距離よりも補助板３５の上部の発射口フード３４との間の開口部の奥行きを傾けることで狭くすることにより、横なぶりの強雨のときでも、雨の角度が補助板に対して６０°以上となり、大部分の降雨において開口部３３から雨が侵入して内部を濡らすことから防止できる。さらに、この考案では打ち上がった上方で、上記したように方角が少し左右前後にばらつく程度に上ふた３２に発射口フード３４および補助板３５の角度を規制して設けている。このようにすることで、打ち上げた上方でロケット花火２の打ち上げ方向が少しばらつくこととなり、からす４０その他の鳥が学習することが防止できる。
【００１５】
この鳥追払い装置１は、図２に示すように、箱体２８内に回転する円盤からなるリボルバー９を有する。このリボルバー９の外周部１３には、等間隔に外側の花火本体装着孔５と内側の導火線装着孔７を１組とするロケット花火２の装着部を有する。この装着部の花火本体装着孔５と導火線装着孔７の組の数は複数組とするが、この実施の形態では、リボルバー９の外周に２０組の花火本体装着孔５と導火線装着孔７を有する。これらの各１組の花火本体装着孔５と導火線装着孔７はその間隙を、請求項３に係る考案の実施の形態では、ロケット花火２自体の花火本体３と導火線４の間隙よりも広めとしている。通常市販のロケット花火２の花火本体３の竹ひごと導火線４の間隙はそれらの根元で３ｍｍ〜４ｍｍである。そこで１組の花火本体装着孔５と導火線装着孔７の間隙を４ｍｍより広めの間隙、すなわち、花火本体３と導火線４をそれぞれ花火本体装着孔５と導火線装着孔７に装着したとき、導火線４の下端が外側へ傾斜する状態に保たれてヒーター１９に重なり確実に接触して着火する間隙とする。円盤状のリボルバー９はその表面１１を上方に向けて箱体２８内に設置され、その中心下部の駆動手段１４に有するモーター１５により間歇的に、例えば４０分毎に１組の装着部からその隣の装着部に回転される。
【００１６】
さらに、導火線装着孔７の下部に垂らしたロケット花火２の導火線４の先端に、モーター１５によるリボルバー９の回動に同期して着火するヒーター１９を配設している。このヒーター１９は、導火線４に着火させる作業時に、着火と同時に導火線の燃えた後のタールが液状となり、ヒーターの上部に点滴し、ヒーター１９の隙間に毛細管減少により入り込み、ヒーター１９の温度上昇時に悪影響を及ぼし、さらにヒーター１９の劣化をも引き起こす。そこで、本考案ではヒーター１９は耐熱セラミックシーズ管２０に封じ込めてタールがヒーター１９の隙間に入らないようにしたものとする。耐熱セラミックシーズ管２０としてはもちろん耐熱ガラスシーズ管であってもよいことはいうまでもない。箱体２８は支持仕切板２３を有する。この支持仕切板２３は箱側壁２９に補強盤３０とヒーター取付板３１で支持され補強されている。この支持仕切板２３はさらにバッテリー２４と制御箱２５が取り付けられており、制御箱２５には試運転切り換えスイッチ２６と試運転ランプ２７が設けられ、内部に制御盤を有する。さらにこの箱体２８の箱側壁２９は運転スイッチ１６、明るさセンサー１７および運転ランプ１８を有する。さらに箱体２８の他の側面には取り外し自在のふたを有する掃除口３７と換気口３８が設けられている。上記の試運転切り換えスイッチ２６を入れることで、実際にロケット花火２をセットすることなく、モーター１５によるリボルバー９の間歇回動やヒーター１９の着火状態を検認することができる。
【００１７】
さらに、他の実施の形態を示す。リボルバー９の外周部１３には、内側の花火本体装着孔５と外側の導火線装着孔７をそれぞれ並列配置しているが、この花火本体装着孔５はリボルバー９の下面１２から下方に延びるガイドパイプ６を有する。このガイドパイプ６設けることで、ロケット花火２の打ち上げ姿勢を制御する。さらに導火線装着孔７はリボルバー９の孔周囲をテーパー状に面取りされた肉厚の薄い孔側部８に形成している。図６ではリボルバー９の下面側から孔周囲をテーパー状に面取りした肉厚の薄い孔側部８に形成している。もちろんリボルバー９の表面側から孔周囲をテーパー状に面取りして肉厚の薄い孔側部８に形成することもできる。このように肉厚の薄い孔側部８を形成することで、導火線４の下部先端に着火したとき、導火線４を燃焼しながら花火本体３側に燃え移る際に、孔側部８に触れて熱が奪われて導火線４の火が消えることがなくなり、確実に花火本体３に着火することができる。導火線４の下部先端に着火するためのヒーター１９は耐熱セラミックシーズ管２０で被覆され、さらにヒーター取付板３１に取り付けられている。このヒーター１９は内側導火線ガイド２１と外側導火線ガイド２２が設けられてヒーター取付板３１に取り付けられており、制御箱２５の制御盤により、モーター１５によるリボルバー９の間歇回動に同期して着火される。
【００１８】
さらに他の実施の形態では、上記の装置において、リボルバー９にはその周辺から中心方向に１個のＶ字状の切欠き１０を有する。このＶ字状の切欠き１０を設けることで、リボルバー９を回転させ、ヒーター１９をこのＶ字状の切欠き１０の下に位置させることで、ヒーター１９および内側導火線ガイド２１や外側導火線ガイド２２の調整および点検あるいは清掃が上ふた３２を開けた上部から容易に行うことができる。
【００１９】
本考案の鳥追払い装置１を使用するとき、例えば図８に示すように果樹園に設置する。このとき果樹園の傾斜地の果樹４１の傾斜角度に合わせて（ａ）のように鳥追払い装置１の打ち上げ角度４２を４５°にしたり、あるいは（ｂ）のように鳥追払い装置１の打ち上げ角度４２を６０°に設定する。鳥追払い装置１を設置すると、上ふた３２をあけ、リボルバー９の花火本体装着孔５と導火線装着孔７にロケット花火２を装着して上ふた３２を閉じる。運転スイッチ１６を入れると明るさセンサー１７が働き作動しだす。薄暗くなってから設置すると、この運転スイッチ１６を入れることで明るさセンサー１７が働き、朝になって夜明けの明るさを感知すると、ロケット花火２を最長で４０分に１回打ち上げるようにモーター１５によりリボルバー９を間歇回動し、順次に各導火線４に着火してロケット花火２を打ち上げる。ロケット花火２は上方に打ち上げられ、シューという打ち上げ音を発しながら上がり、５０〜６０メートル上方に飛行し、炸裂する。この考案では、打ち上げ方向が少し乱れて一定方向でないので、例えばからす４０などの鳥は音に驚き逃げ去り、学習することなく、驚いて２度と現れなくなる。リボルバー９には２０発のロケット花火２が装着できるので、全部で最長１２時間４０分打ち上げることができる。
【００２０】
なお、制御盤に時間のランダム化する機構を盛り込むことで、打ち上げ間隔をランダムとすることができ、この場合は鳥に学習する機会を一層になくすことができる。ロケット花火２には、一般に笛音がするものと上空で破裂音がするものの２種類があるが、鳥の状況に合わせて選択して使用できる。
【図面の簡単な説明】
【００２１】
【図１】本考案の鳥追払い装置の斜視図である。
【図２】本考案の鳥追払い装置の上ふたを取り去り、一部切欠いてリボルバーその他を見せる斜視図である。
【図３】本考案の鳥追払い装置の上ふたを示す図である。
【図４】本考案の鳥追払い装置のリボルバーの斜視図で、（ａ）は上面側を、（ｂ）は下面側を示す図である。
【図５】鳥追払い装置の上ふたを取り去って見た鳥追払い装置内の平面図である。
【図６】本考案の鳥追払い装置のリボルバーにロケット花火を装着した図で、（ａ）は導火線装着孔の下面側の孔周囲をテーパー状に面取りし肉厚の薄い孔側部に装着した図で、（ｂ）は孔周囲が面取りされてなく肉厚の厚い孔側部に装着した図である。
【図７】本考案の鳥追払い装置の箱体内部の装置のみを示す立面図である。
【図８】打ち出し角度を変えて示すロケット花火の打ち上げ状況を示す図で、打ち上げ角度が（ａ）は４５°で、（ｂ）は６０°を示す図である。
【符号の説明】
【００２２】
１  鳥追払い装置
２  ロケット花火
３  花火本体
４  導火線
５  花火本体装着孔
６  ガイドパイプ
７  導火線装着孔
８  孔側部
９  リボルバー
１０  切欠き
１１  表面
１２  下面
１３  外周部
１４  駆動手段
１５  モーター
１６  運転スイッチ
１７  明るさセンサー
１８  運転ランプ
１９  ヒーター
２０  耐熱セラミックシーズ管
２１  内側導火線ガイド
２２  外側導火線ガイド
２３  支持仕切板
２４  バッテリー
２５  制御箱
２６  試運転切換スイッチ
２７  試運転ランプ
２８  箱体
２９  箱側壁
３０  補強板
３１  ヒーター取付板
３２  上ふた
３３  開口部
３４  発射口フード
３５  補助板
３６  支持傾斜脚
３７  掃除口
３８  換気口
３９  把手
４０  からす
４１  果樹
４２  打ち上げ角度
【図１】
0003106555.tif 000003
【図２】
0003106555.tif 000004
【図３】
0003106555.tif 000005
【図４】
0003106555.tif 000006
【図５】
0003106555.tif 000007
【図６】
0003106555.tif 000008
【図７】
0003106555.tif 000009
【図８】
0003106555.tif 000010